(57)【要約】【課題】構造が簡単で、止血が適切に行えるようにする。【解決手段】止血用具１の血液を吸収しない性能を有するとともに使用において撓まないような剛性を有する素材からなる板状の基材２の上面には、基材２の周縁部から中心部に行くに従って徐々に下方に窪むすり鉢状になった指収容部３と、指収容部３を囲むとともに指収容部３の周縁部から基材２の周縁部に行くに従って徐々に下方に傾斜する傾斜環部４とが設けられ、基材２の下面には凹凸部５が設けられており、注射針、カテ−テル、チュ−ブなどの取り外された傷跡の穿刺孔部を被覆した止血用衛生材料に対して止血用具１が指収容部３に入れられた指で穿刺孔部の側に押し付けられると、凹凸部５が止血用衛生材料の上面に食い込み、止血用具１が横方向に滑らず、止血が適切に行える。【選択図】図１
2010148530.tif 000002
【特許請求の範囲】
【請求項１】
血液を吸収しない性能を有するとともに使用において撓まないような剛性を有する素材からなる板状の基材と、基材の周縁部から中心部に行くに従って徐々に下方に窪むすり鉢状になって基材の上面に設けられた指収容部と、指収容部を囲むとともに指収容部の周縁部から基材の周縁部に行くに従って徐々に下方に傾斜する斜面を形成するように基材の上面に設けられた傾斜環部と、基材の下面に設けられた凹凸部とを備えたことを特徴とする止血用具。
【発明の詳細な説明】
【技術分野】
【０００１】
本発明は、構造が簡単で、止血が適切に行える止血用具に関する。
【背景技術】
【０００２】
カテーテル治療、動脈造影、動脈内注射、人工透析を行った場合、その治療や検査の終了後に注射針、カテ−テル、チュ−ブ等を人体から取り外すことによって、穿刺孔部が人体の皮膚に生じる。その穿刺孔部から血液が噴き出さないようにする止血用具としては、特許文献１で開示された物が提案されている。その止血用具は、圧迫体及び貼付材を備え、次のように使われる。圧迫体が皮膚の上から穿刺孔部を被覆した後、貼付材が穿刺孔部周りの皮膚に固定する。しかしながら、特許文献１の止血用具は、圧迫体と貼付材との間に押圧板を有する構造であるので、止血用具の構造が複雑であるという欠点がある。又、特許文献２で開示された止血用具は、筒体及び吸収パッドを備え、次のように使われる。看護師又は医師が指を筒体の中に入れた状態で、吸収パッドで皮膚の上から穿刺孔部を被覆した後、接着テープで止血用具を穿刺孔部周りの皮膚に固定する。しかしながら、筒体が弾性変形可能な材料で構成されているので、接着テープで止血用具を皮膚に固定しなければならず、止血用具だけで止血を適切に行うことができないという欠点がある。
【特許文献１】特許第３３２８７８７号公報
【特許文献２】特願２００４−１８７９５５号公報
【発明の開示】
【発明が解決しようとする課題】
【０００３】
発明が解決しようとする問題点は、止血用具の構造が複雑であるうえ、止血用具だけで止血を適切に行うことができないという点である。
【課題を解決するための手段】
【０００４】
本発明に係る止血用具は、血液を吸収しない性能を有するとともに使用において撓まないような剛性を有する素材からなる板状の基材と、基材の周縁部から中心部に行くに従って徐々に下方に窪むすり鉢状になって基材の上面に設けられた指収容部と、指収容部を囲むとともに指収容部の周縁部から基材の周縁部に行くに従って徐々に下方に傾斜する斜面を形成するように基材の上面に設けられた傾斜環部と、基材の下面に設けられた凹凸部とを備えことを最も主要な特徴とする。
【発明の効果】
【０００５】
本発明に係る止血用具は、基材に指収容部や傾斜環部及び凹凸部を設けた簡単な構造あるという利点があり、指収容部がすり鉢状になっているので、指の先の腹が指収容部に適切に収まるという利点があり、穿刺孔部を被覆した止血用衛生材料に対して止血用具が指収容部に入れられた指で穿刺孔部の側に押し付けられる場合、凹凸部が止血用衛生材料の上面に食い込み、止血用具が横方向に滑らず、止血が適切に行えるという利点がある。
【発明を実施するための最良の形態】
【０００６】
図１のａ図は、止血用具１の外観を示す。図１のｂ図は、止血用具１を図１のａ図のＡ−Ａ線で切断した断面を示す。図２は、止血用具１を上から見た形状を示す。図３は、止血用具１の使用態様を示す。
【０００７】
図１を参照し、止血用具１の構造について説明する。図１のａ図において、止血用具１は、基材２の上面に指収容部３及び傾斜環部４を備える。基材２は、血液を吸収しない性能を有するとともに止血用具１の使用において撓まないような剛性を有する素材からなる板状である。例えば、基材２を構成する素材としては、例えば、金属、合成樹脂、セラミック、ゴム、木材、紙など種々選択できるが、木材や紙の場合は、止血用具１の使用において少なくとも基材２の止血用衛生材料７（図３参照）と接触する下面を保護皮膜で被覆し、基材２が血液を吸収しないようになればよい。とりわけ、金属又は合成樹脂で基材２を構成すれば、作り易さや使い易さの点から好ましい。指収容部３は、基材２の周縁部から中心部に行くに従って徐々に下方に窪むすり鉢状になっている。傾斜環部４は、指収容部３を一周するように囲む態様であって、指収容部３の周縁部から基材２の周縁部に行くに従って徐々に下方に傾斜する斜面を形成する。
【０００８】
図１のｂ図において、基材２の下面は、指収容部３の上下方向に延びる中心線Ｌ１に直交する平面を構成する。基材２の下面には、凹凸部５が設けられる。凹凸部５は、上下方向に凸凹し、かつ、指収容部３の上下方向に延びる中心線Ｌ１に直交する平面方向に連続する態様である。止血用具１の大きさは、例えば、次のような寸法になっている。基材２の直径Ｄ１＝２５ｍｍ、指収容部３の直径Ｄ２＝１８ｍｍ、基材２の指収容部３と傾斜環部４との境の高さＨ１＝５ｍｍ、基材２の周面の高さＨ２＝３ｍｍである。止血用具１の大きさは、上記寸法に限定されるものでないが、成人の指が指収容部３に収容される大きさは必要である。
【０００９】
つまり、図１のａ図及びｂ図に示すように、止血用具１の構造は、基材２に指収容部３や傾斜環部４及び凹凸部５を設けた簡単であるという利点がある。
【００１０】
図２に示すように、止血用具１を上から見た場合、基材２が円形の態様である。その基材２の態様は、円形に限定されるものではなく、例えば、楕円形、三角形、四角形、六角形、それ以上の多角形であってもよい。
【００１１】
図３を参照し、止血用具１の使い方について説明する。先ず、図外の注射針、カテ−テル、チュ−ブ等を人体の例えば腕６から取り外した後、脱脂綿又はガーゼのような止血用衛生材料７を腕６の皮膚８の上から穿刺孔部９に被覆させる。穿刺孔部９は、皮膚８及び血管１０に貫通している。
【００１２】
次に、止血用具１の凹凸部５が止血用衛生材料７の上面に重ね合わされて接触されるように、止血用具１が止血用衛生材料７の上に置かれた後、患者又は看護師又は医者が１本の指１１の先の腹が指収容部３に接触するように指１１の先を指収容部３に入れた場合、指収容部３がすり鉢状になっているので、指１１の先の腹が指収容部３に適切に収まるという利点がある。そして、患者又は看護師又は医者が止血用具１を腕６の方に押し付けることによって、凹凸部５が止血用衛生材料７の上面に食い込み、止血用具１が横方向に滑らず、止血が適切に行えるという利点がある。
【００１３】
上記止血用具１を腕６の方に押し付けたままの態様を患者又は看護師又は医者が２０分間程度保つことによって、穿刺孔部９が凝固した血液で閉塞され、穿刺孔部９から血液が噴き出さないように止血される。
【００１４】
患者又は看護師又は医者が止血用具１を腕６の方に押し付けたままの態様を２０分間程度保つ間において、疲れから、指収容部３に収容された指１１の手のひら側に位置する付け根側が腕６の方に倒れたとしても、止血用具１が傾くことがなく、凹凸部５の一部が止血用衛生材料７から離れるように浮き上がることがなく、止血が適切に行えるという利点がある。
【００１５】
その理由は次のように考察できる。図３に仮想線Ｌ２で示すように、止血用具１に傾斜環部４が形成されていない場合おいて、指収容部３に収容された指１１の付け根側が腕６の方に倒れると、指１１の付け根側が仮想線Ｌ２で示す部分を上方から腕６の方に押すので、当該押した部分が作用点となって、止血用具１における図２に符号２の引き出し線の引き出された部分が上方に移動し、つまり、止血用具１が傾き、凹凸部５の一部が止血用衛生材料７から離れる。
【００１６】
これに対し、図３に実線で示すように、止血用具１には傾斜環部４が設けられているので、指収容部３に収容された指１１の付け根側が腕６の方に倒れても、傾斜環部４が指１１の付け根側の倒れを負担し、指１１の付け根側が上方から腕６の方に押すことがなく、凹凸部５の一部が止血用衛生材料７から離れるように浮き上がることがないという利点がある。
【００１７】
その後、患者又は看護師又は医者が上記指１１を指収容部３から外す。そして、患者又は看護師又は医者が、止血用衛生材料７と接触したままの止血用具１を図外の絆創膏のような貼付材で腕６に固定するか、又は、止血用具１及び止血用衛生材料７を腕６から外すか、又は、止血用具１を止血用衛生材料７から外し、止血用衛生材料７を図外の絆創膏のような貼付材で腕６に固定する。
【００１８】
以上の説明は、発明者が受けている人工透析による穿刺孔部を止血する止血用具１として研究開発の成果として裏付けられる。人工透析の場合、穿刺孔部９が動脈及び静脈に１つずつ形成されるので、それぞれの穿刺孔部９に対し止血用具１を１つずつ使用して止血する。
【産業上の利用可能性】
【００１９】
図４は、発明を実施するための異なる第１の形態に係る止血用具１の断面を示す。図４は、止血用衛生材料７が凹凸部５に接着剤又は粘着剤のような結合層１２で固定されて基材２と一体になっており、止血用衛生材料７の下面には保護片１３が接着剤又は粘着剤のような結合層１４で固定された構造が最良の形態と異なる。
【００２０】
この場合、凹凸部５を設けることなく、結合層１２を基材２の平坦な面に接触さてもよいが、図４に示すように結合層１２が凹凸部５に接触していれば、結合層１２の凹凸部５への食い込みによって、患者又は看護師又は医者が止血用具１を腕６の方に押し付けた場合、止血用衛生材料７が横方向に滑らないという利点がある。又、保護片１３の一部が結合層１４よりも外側に突出した把持部１５を有すれば、保護片１３を容易に剥がすことができるという利点がある。
【００２１】
保護片１３を剥がす場合、結合層１４が保護片１３と一体となって止血用衛生材料７から剥がれるようにすれば、好適である。そのためには、結合層１４の保護片１３への結合層１４の結合力が止血用衛生材料７への結合力よりも強くなるように、結合層１４や止血用衛生材料７及び保護片１３の素材や材質を選定すればよい。又、結合層１４の素材や材質は止血用衛生材料７のような衛生上人体に無害なものを選定することは必要である。
【００２２】
図５は、発明を実施するための異なる第２の形態に係る止血用具１の使用態様の断面を示す。図５は、止血用具１を貼付材１６で腕６に固定したことが最良の形態と異なる。貼付材１６は、絆創膏のように、可撓性の有る板状の基材の一表面に接着剤又は粘着剤のような結合層１７及び突起１８を備える。そして、患者又は看護師又は医者が、血用衛生材料７を腕６の皮膚８の上から穿刺孔部９に被覆させ、血用衛生材料７の上に止血用具１を重ね合わせた後、止血用具１を貼付材１６で腕６に固定する。その場合、突起１８が指収容部３に収容され、貼付材１６の結合層１７が傾斜環部４から腕６の皮膚に貼付される。
【図面の簡単な説明】
【００２３】
【図１】ａ図は止血用具の斜視図、ｂ図はａ図のＡ−Ａ線断面図（最良の形態）。
【図２】止血用具１の平面図（最良の形態）。
【図３】止血用具の使用態様の断面図（最良の形態）。
【図４】止血用具のＡ−Ａ線に相当する断面図（異なる第１の形態）。
【図５】止血用具の使用態様の断面図（異なる第２の形態）。
【符号の説明】
【００２４】
１は止血用具、２は基材、３は指収容部、４は傾斜環部、５は凹凸部、６は腕、７は止血用衛生材料、８は皮膚、９は穿刺孔部、１０は血管、１１は指、１２は結合層、１３は保護片、１４は結合層、１５は把持部、１６は貼付材、１７は結合層、１８は突起、Ｌ１は中心線。
【図１】
2010148530.tif 000003
【図２】
2010148530.tif 000004
【図３】
2010148530.tif 000005
【図４】
2010148530.tif 000006
【図５】
2010148530.tif 000007